(57)【要約】【課題】コンピュータやテレビ等の画像表示に使用されるプラズマディスプレイパネルにおいて、誘電体の一部を盛上げて発光効率を向上しようとした場合に、輝度バラツキが起きやすいという課題があった。【解決手段】誘電体層に誘電体盛上げ部６Ａを設けたり、凹部を設けたりして、金属母線４Ａ、５Ａの部分に放電が到らないようにすることで発光効率の向上が得られるが、誘電体層にできる段差部分のうち、走査電極４、維持電極５の伸長方向に平行な部分には、走査電極４、維持電極５のどちらも配置されないようにすることにより、輝度バラツキを生じることなく発光効率を向上することができる。【選択図】　図１
2004047251.tif 000002
【特許請求の範囲】
【請求項１】
誘電体層に覆われた行方向に伸びた走査電極および維持電極が平行に放電ギャップを挟んで形成された第１の基板と、
前記第１の基板と放電空間を挟んで対向配置され、列方向に伸びた書き込み電極が形成され、前記書き込み電極と前記放電空間を形成する隔壁を有する第２の基板とを有し、
前記走査電極および前記維持電極それぞれを前記放電ギャップに近い部分と前記放電ギャップから遠い部分との少なくとも２つの部分に分割し、前記誘電体層の放電ギャップに近い部分を覆う位置の厚さを、前記放電ギャップから遠い部分を覆う前記位置の厚さよりも薄くし、かつ前記誘電体層に生じる段差の位置は、前記走査電極および維持電極の放電ギャップに近い部分と放電ギャップから遠い部分との間としたことを特徴とするプラズマディスプレイパネル。
【請求項２】
誘電体層に覆われた行方向に伸びた走査電極および維持電極が平行に放電ギャップを挟んで形成された第１の基板と、
前記第１の基板と放電空間を挟んで対向配置され、列方向に伸びた書き込み電極が形成され、前記書き込み電極と前記放電空間を形成する隔壁を有する第２の基板とを有し、
前記走査電極および前記維持電極は透明電極とこの透明電極に接続される金属母線とで構成するとともに、走査電極および維持電極それぞれの透明電極を放電ギャップに近い部分と放電ギャップから遠い部分との少なくとも２つの部分に分割し、かつ前記誘電体層に、１つの放電セルに対して少なくとも１つ配置されるように凹部を形成し、前記凹部の前記走査電極および前記維持電極の伸長方向に平行な境界の位置を前記走査電極の分割された透明電極と金属母線との間および前記維持電極の分割された透明電極と金属母線との間に配置したことを特徴とするプラズマディスプレイパネル。
【請求項３】
前記凹部の境界と前記走査電極または前記維持電極とが交わる部分の位置は、前記走査電極および前記維持電極の伸長方向に垂直な部分にのみ配置したことを特徴とする請求項２に記載のプラズマディスプレイパネル。
【請求項４】
前記走査電極と前記維持電極それぞれの透明電極と金属母線とを電気的に接続する接続部は、前記誘電体層に設けられた前記凹部の外側に配置したことを特徴とする請求項２に記載のプラズマディスプレイパネル。
【請求項５】
誘電体層に覆われた行方向に伸びた走査電極および維持電極が平行に放電ギャップを挟んで形成された第１の基板と、
前記第１の基板と放電空間を挟んで対向配置され、列方向に伸びた書き込み電極が形成され、前記書き込み電極と前記放電空間を形成する第１の隔壁を有する第２の基板とを有し、
前記走査電極および前記維持電極は透明電極とこの透明電極に接続される金属母線とで構成するとともに、走査電極および維持電極それぞれの透明電極を放電ギャップに近い部分と放電ギャップから遠い部分との少なくとも２つの部分に分割し、かつ前記第２の基板上の前記放電ギャップから最も遠い部分に対向する位置に、前記第１の隔壁に対して交差する方向の第２の隔壁を設け、前記第２の隔壁の斜面に対応する位置を、前記走査電極の分割された透明電極と金属母線との間および前記維持電極の分割された透明電極と金属母線との間に配置したことを特徴とするプラズマディスプレイパネル。
【発明の詳細な説明】
【０００１】
【発明の属する技術分野】
本発明は、画像表示装置に用いられるプラズマディスプレイパネルに関する。
【０００２】
【従来の技術】
従来のプラズマディスプレイパネル（以下、従来のパネルという）１の斜視図を図７に、書き込み電極１１に沿った構造図と断面図を図８に示す。
【０００３】
図７に示すように、従来のパネル１では、第１の基板であるガラス製の表面基板２と第２の基板であるガラス製の背面基板３とが対向して配置されているとともに、その間隙には放電によって紫外線を放射するガス、例えばネオン（Ｎｅ）およびキセノン（Ｘｅ）が封入されている。表面基板２上には、誘電体層６および保護膜７で覆われた対を成す帯状の走査電極４と維持電極５とからなる電極群が互いに行方向に平行配列されている。
【０００４】
走査電極４および維持電極５はそれぞれ、導電性を高めるための金属母線４Ａ、５Ａと透明電極４Ｂ、５Ｂとから構成されている。透明電極４Ｂ、５Ｂは、放電を広げ、より大きな容積で放電がおこるようにする働きを有している。
【０００５】
背面基板３上には、走査電極４および維持電極５と直交する列方向に誘電体層１０に覆われた帯状の書き込み電極１１が互いに平行配列されており、またこの各書き込み電極１１を隔離し、かつ放電空間を形成するための帯状の第１の隔壁８が書き込み電極１１の間に設けられている。また、誘電体層１０上から第１の隔壁８の側面にわたって蛍光体層９が形成されている。
【０００６】
このパネル１は表面基板２側から画像表示を見るようになっており、放電空間内での走査電極４と維持電極５との間の放電により発生する紫外線によって、蛍光体層９を励起し、この蛍光体層９からの可視光を表示発光に利用するものである。
【０００７】
図８に示すように、透明電極４Ｂ、５Ｂ上に金属母線４Ａ、５Ａを形成した電極構造においては、放電が金属母線４Ａ、５Ａに及ぶことから、金属母線４Ａ、５Ａが蛍光体層９の発光を遮蔽してしまうため、発光効率を低下させてしまう。
【０００８】
そこで、特開平８−２５００２９号公報に示されているように、金属母線４Ａ、５Ａを覆う誘電体層６の厚みを、部分的に厚くした誘電体盛上げ部６Ａを設けることによって、金属母線４Ａ、５Ａ付近にまで放電が及ばないようにする方法が提案されている。その電極構造を図９（ａ）に、図９（ａ）におけるＡ３−Ａ３断面図を図９（ｂ）に示す。
【０００９】
この構造は、図９（ｂ）に示すように誘電体盛上げ部６Ａを設けることによって、放電が誘電体盛上げ部６Ａに覆われた領域まで広がらないので、金属母線４Ａ、５Ａの近傍部分の蛍光体層９は発光せず、無駄な発光のために電力を消費しないことにより、実質的に発光効率が向上することを意図したものである。
【００１０】
しかし、この構造の場合、図９（ｂ）に示すように、透明電極４Ｂ、５Ｂ上にそれぞれ金属母線４Ａ、５Ｂを配置しているために、誘電体層６の段差部分である誘電体盛上げ部６Ａが、透明電極４Ｂ、５Ｂを部分的に覆うことになる。これが、輝度バラツキの原因になる。
【００１１】
この輝度バラツキのおこる原因について、図１０を用いて以下に説明する。
【００１２】
図１０（ａ）に示すように、従来の例では、誘電体盛上げ部６Ａの段差部分を、走査電極４、維持電極５が部分的に覆っている。この場合、各電極のうち、放電に実際に関与する部分は、段差までの部分、図中ＸおよびＹとなる。
【００１３】
例えば、図１０（ｂ）に示すように、誘電体盛上げ部６Ａの位置がずれてしまった場合、Ｘ、Ｙは、図１０（ｂ）に示すように、どちらかが大きくなってしまう。この状態で、走査電極４と維持電極５との間で交流型の放電動作をさせると、走査電極４と維持電極５とで、静電容量が異なるため、バランスが悪く、放電が不安定になってしまう。概して、静電容量の小さい方で規定され、放電の規模が小さくなってしまう、すなわち輝度が低下してしまう場合が多い。しかも、それが放電セルによって異なっておこると、輝度バラツキの原因になる。
【００１４】
また、このような輝度バラツキは、段差部分が位置ずれをおこした場合に限らず、図１０（ｃ）に示すような段差の傾斜の形状が変化してしまった場合にもおこる。段差の斜面の形状を正確に制御するということは、プロセス上実現性が乏しく、放電セルによって形状が異なる、という課題がある。
【００１５】
【発明が解決しようとする課題】
前述のように、図９（ｂ）に示す金属母線４Ａ、５Ａの部分に誘電体盛上げ部６Ａを設ける方法は、放電セルごとの輝度バラツキが生じやすいという課題があった。この理由は、誘電体盛上げ部６Ａの寸法や、その位置がばらついた場合、実質放電に寄与する電極領域が、変化してしまうからである。とくに、誘電体層６の誘電体盛上げ部６Ａの斜面部の形状は、制御するのが難しく、その形状によって放電領域の広がり量が変化する。また、対になっている走査電極４と維持電極５との関係で、実効的な放電面積が変わると、放電のバランスが悪くなり、放電が不安定になる欠点も有している。
【００１６】
【課題を解決するための手段】
請求項１記載の発明は、上記課題を解決するために、誘電体層に覆われた行方向に伸びた走査電極および維持電極が平行に放電ギャップを挟んで形成された第１の基板と、第１の基板と放電空間を挟んで対向配置され、列方向に伸びた書き込み電極が形成され、書き込み電極と放電空間を形成する隔壁を有する第２の基板とを有し、走査電極および維持電極それぞれを放電ギャップに近い部分と放電ギャップから遠い部分との少なくとも２つの部分に分割し、誘電体層の放電ギャップに近い部分を覆う位置の厚さを、放電ギャップから遠い部分を覆う位置の厚さよりも薄くし、かつ誘電体層に生じる段差の位置は、走査電極および維持電極の放電ギャップに近い部分と放電ギャップから遠い部分との間としたことを特徴とするプラズマディスプレイパネルを提供するものである。
【００１７】
また、請求項２記載の発明によれば、誘電体層に覆われた行方向に伸びた走査電極および維持電極が平行に放電ギャップを挟んで形成された第１の基板と、第１の基板と放電空間を挟んで対向配置され、列方向に伸びた書き込み電極が形成され、書き込み電極と放電空間を形成する隔壁を有する第２の基板とを有し、走査電極および維持電極は、透明電極とこの透明電極に接続される金属母線とで構成するとともに、走査電極および維持電極それぞれの透明電極を放電ギャップに近い部分と放電ギャップから遠い部分との少なくとも２つの部分に分割し、かつ誘電体層に、１つの放電セルに対して少なくとも１つ配置されるように凹部を形成し、凹部の走査電極および維持電極の伸長方向に平行な境界の位置を走査電極の分割された透明電極と金属母線との間および維持電極の分割された透明電極と金属母線との間に配置したことを特徴とするプラズマディスプレイパネルを提供できる。
【００１８】
さらに、請求項３記載の発明によれば、凹部の境界と走査電極または維持電極とが交わる部分の位置は、走査電極および維持電極の伸長方向に垂直な部分にのみ配置したことを特徴とするプラズマディスプレイパネルを提供できる。
【００１９】
さらに、請求項４記載の発明によれば、走査電極と維持電極それぞれの透明電極と金属母線とを電気的に接続する接続部は、誘電体層に設けられた凹部の外側に配置したことを特徴とするプラズマディスプレイパネルを提供できる。
【００２０】
さらに、請求項５記載の発明によれば、誘電体層に覆われた行方向に伸びた走査電極および維持電極が平行に放電ギャップを挟んで形成された第１の基板と、第１の基板と放電空間を挟んで対向配置され、列方向に伸びた書き込み電極が形成され、書き込み電極と放電空間を形成する第１の隔壁を有する第２の基板とを有し、走査電極および維持電極は透明電極とこの透明電極に接続される金属母線とで構成するとともに、走査電極および維持電極それぞれの透明電極を放電ギャップに近い部分と放電ギャップから遠い部分との少なくとも２つの部分に分割し、かつ第２の基板上の放電ギャップから最も遠い部分に対向する位置に、第１の隔壁に対して交差する方向の第２の隔壁を設け、第２の隔壁の斜面に対応する位置を、走査電極の分割された透明電極と金属母線との間および維持電極の分割された透明電極と金属母線との間に配置したことを特徴とするプラズマディスプレイパネルを提供できる。
【００２１】
これらの請求項１から請求項５記載の発明により、輝度バラツキがなく、安定な放電が維持される発光効率の高いプラズマディスプレイパネルを提供することができる。
【００２２】
【発明の実施の形態】
以下、本発明の実施の形態について図１〜図６を用いて説明する。
【００２３】
なお、従来のパネルを表す図７と同一の構成については同じ符号を付して説明する。
【００２４】
（実施の形態１）
本発明の実施の形態１のプラズマディスプレイパネル（以下、パネルという）の、第１の基板である表面基板２側から見た構造を図１に示す。
【００２５】
本発明の実施の形態１のパネル１は、図７に示される従来のパネルと同様、第１の基板であるガラス製の表面基板２と第２の基板であるガラス製の背面基板３とが対向して配置されている。表面基板２上には、誘電体層６で覆われ、行方向に伸びた走査電極４と維持電極５とからなる電極の組が複数配列されている。
【００２６】
走査電極４と維持電極５はそれぞれ、金属母線４Ａ、５Ａと透明電極４Ｂ、５Ｂとからなる。透明電極４Ｂ、５Ｂは、金属母線４Ａ、５Ａよりも内側に、一定の距離をおいて配置されている。透明電極４Ｂ、５Ｂの間で主に放電がおこり、この間隙を放電ギャップと呼ぶ。
【００２７】
走査電極４、維持電極５を覆う誘電体層６は、金属母線４Ａ、５Ａを覆う部分の位置が、透明電極４Ｂ、５Ｂを覆う部分の位置よりも厚くしてある。図１では、このような誘電体盛上げ部６Ａと通常の膜厚の位置との境界線を点線で記している。
【００２８】
誘電体層６上には保護膜７として、酸化マグネシウム（ＭｇＯ）等の耐スパッタ性が高く、二次電子放射係数の大きい材料を用いている。
【００２９】
図１のＡ１−Ａ１断面図を図２に示す。簡単のため、保護膜７を省略している。
【００３０】
図２において、背面基板３上には、列方向に伸びる書き込み電極１１が配列されており、この書き込み電極１１は誘電体層１０に覆われている。各書き込み電極１１を隔離し、かつ放電空間を形成するための帯状の第１の隔壁８が書き込み電極１１の間に設けられている。
【００３１】
誘電体層１０上、第１の隔壁８の側面を覆うように蛍光体層９が形成されている。
【００３２】
放電空間には、放電ガスとして例えばキセノン（Ｘｅ）とネオン（Ｎｅ）との混合ガスが封入されている。
【００３３】
このパネル１は、表示面側である表面基板２側から画像表示を見るようになっており、放電空間内の放電により発生する紫外線によって、蛍光体層９を励起し、発生する可視光を表示発光に利用するものである。
【００３４】
蛍光体層９として、書き込み電極１１に平行な方向には同色の蛍光体材料を用い、書き込み電極１１と直交する方向には、例えば赤、緑、青の順に三原色の蛍光体材料を順次用いている。
【００３５】
本発明の実施の形態１においては、走査電極４、維持電極５のそれぞれについて、透明電極４Ｂと金属母線４Ａ、透明電極５Ｂと金属母線５Ａとが平行に一定の距離をおいて配置した構成とし、そのうち、放電ギャップから近い方に位置する透明電極４Ｂ、５Ｂを覆う位置には誘電体層６が設けられ、また、放電ギャップから遠い方に位置する金属母線４Ａ、５Ａを覆う位置に、誘電体盛上げ層６Ａを設けている。さらに、厚さの差による段差は、それぞれ透明電極４Ｂ、５Ｂと金属母線４Ａ、５Ａとの間に配置されている。
【００３６】
この本発明の実施の形態１の構造は、図３に示すように、段差位置には、走査電極４、維持電極５が形成されないようになっている。段差位置で放電が広がらないことから、放電に実際に関与する部分であるＸ、Ｙは金属母線４Ａ、５Ａには及ばない。したがって、段差の形状や位置が変化しても、放電そのものは変化しない。
【００３７】
次に、図１に示すような本発明の構造の場合、走査電極４、維持電極５の伸長方向と平行な方向に隣接する放電セルどうしがつながってしまうため、互いの放電が影響しあってしまう。そこで、誘電体層６の形状を、図４（ａ）に示すように、放電空間部分に面する部分の位置の厚みを他より薄くして凹部６Ｂを有する形状に形成する。このときも、図１と同様、走査電極４、維持電極５は、それぞれ透明電極４Ｂ、５Ｂと金属母線４Ａ、５Ａと分離して形成する。
【００３８】
誘電体層６の凹部６Ｂによる段差部分のうち、走査電極４、維持電極５の伸長方向に平行な部分（図中Ｐ１、Ｐ３）を、走査電極４および維持電極５がまたがないようにする。すなわち、Ｐ１が走査電極４の金属母線４Ａと透明電極４Ｂとの間に位置し、Ｐ３が維持電極５の金属母線５Ａと透明電極５Ｂとの間に位置している。
【００３９】
この結果、隣接する放電セルどうしが放電的につながらず、しかも放電が金属母線４Ａ、５Ａに及ばないことから、段差部分の形状や位置のバラツキにより輝度バラツキが生じない。
【００４０】
また、走査電極４、維持電極５と垂直な部分（図中Ｐ２、Ｐ４）のみで、凹部６Ｂの内外をつなぐようにする。例えば、図４（ｂ）に示したように透明電極４Ｂ、５Ｂの形状が走査電極４、維持電極５の伸長方向に平行な方向で凹部６Ｂの厚みの異なる内と外をつないでいる（図中Ｐ５、Ｐ６）。この場合、凹部６Ｂをこえて透明電極４Ｂ、５Ｂが金属母線４Ａ、５Ａに近づくために放電が凹部６Ｂの境界であるＰ５、Ｐ６部でさえぎることができない。
【００４１】
そのため、仮に凹部６Ｂの位置がずれた場合、走査電極４、維持電極５の伸長方向に平行な方向へずれがおこっても、電極の構造上、電極面積等は変化しない。走査電極４、維持電極５の伸長方向に垂直な方向へのずれに対する効果は、図３で示したように、図１の構造のパネルと同様である。
【００４２】
したがって、図４（ａ）のような構成にしておくことにより、走査電極４、維持電極５の伸長方向に垂直な方向へのずれに対してマージンが確保される。
【００４３】
また、段差部分Ｐ１、Ｐ３の形状が変化した場合にも、この段差部分が、放電セルの端に位置し、背面基板３側の第１の隔壁８の存在により、放電への寄与の少ない部分であるため、輝度の変化はおこりにくい。段差部分Ｐ２、Ｐ４の形状の変化に対する効果については、図１の構造のパネルと同様である。
【００４４】
（実施の形態２）
本発明の実施の形態２について、図５を用いて説明する。
【００４５】
実施の形態２のパネルの書き込み電極１１に沿った断面図を図５に示す。
【００４６】
実施の形態２において、実施の形態１と同様に、走査電極４、維持電極５の各電極の透明電極４Ｂ、５Ｂと金属母線４Ａ、５Ａとが分離され、一定の間隔をあけて配置される。
【００４７】
実施の形態２において、誘電体層６の厚さは一定で、背面基板３側に、放電範囲を制限する第２の隔壁１２が設けられている。
【００４８】
第２の隔壁１２の存在により、誘電体層６の厚さを変化させた実施の形態１と同様に、金属母線４Ａ、５Ａに放電が及ばないようにすることができる。その際に、実施の形態１と同様、第２の隔壁１２の斜面を、透明電極４Ｂ、５Ｂと金属母線４Ａ、５Ａとの間に設定することができ、走査電極４、維持電極５が、第２の隔壁１２の斜面を部分的に覆わないようにする。これによって、もし第２の隔壁１２の斜面の形状が変化してしまったり、電極との位置関係が変化しても、放電のおこる領域は変化せず、輝度バラツキがおこりにくい。
【００４９】
なお、本発明において、金属母線４Ａ、５Ａと透明電極４Ｂ、５Ｂとは同電位であるが、抵抗値の上昇を抑えるために、両者の間に電気的な接続部を設けることが望ましいが、その場合にも、本発明の主目的に沿った形で、走査電極４、維持電極５の伸長方向に平行な誘電体層６の段差部分、または第２の隔壁１２の斜面をまたがないように接続する必要がある。そのためには、図６に示すように、走査電極４と維持電極５のそれぞれ放電ギャップに近い部分と遠い部分の少なくとも２つの部分に分割された透明電極と金属母線とを電気的に接続する接続部は、誘電体層に設けられた凹部６Ｂの外側に配置される。
【００５０】
この結果、接続部が凹部内部に入らないことから、第２の隔壁の斜面の形状が変化してしまったり、電極との位置関係が変化しても、放電のおこる領域は変化せず、輝度バラツキがおこりにくい。
【００５１】
また、透明電極４Ｂ、５Ｂの形状は、ここでは、単純な帯状としたが、その他の形状を用いても、本発明の効果は得られる。例えば、複数本の帯の組み合わせ等の構造であっても、最外部分に金属母線４Ａ、５Ａを置き、その内側の電極部分との間に一定の間隔を確保すれば、本発明の効果は得られる。
【００５２】
また、本発明においては、便宜上分割された電極を、透明電極４Ｂ、５Ｂと金属母線４Ａ、５Ａと呼んだが、例えば金属母線４Ａ、５Ａの部分において、金属材料とガラス材料との反応を抑えるために、透明電極材料による部分を一部設けたり、重ねて形成したりしてもよい。
【００５３】
さらに、本発明においては、誘電体層６に凹凸を設けた場合を実施の形態１、第２の隔壁１２を設けた場合を実施の形態２として区別して説明したが、当然、これらの２つの構成を組み合わせ、誘電体層６の誘電体盛上げ部６Ａと第２の隔壁１２の両方を設けた場合にも、本発明の効果は有効である。
【００５４】
【発明の効果】
本発明は、走査電極と維持電極を、それぞれ金属母線と透明電極とに分割し、金属母線を覆う誘電体層の厚さを厚くすること、または金属母線に対応する背面基板側に第２の隔壁を配置することによって、放電が金属母線部分で遮蔽された部分に到らないようにすることができ、発光効率を向上できる。
【００５５】
また、走査電極、維持電極が、誘電体層の段差部分、または第２の隔壁の斜面部分をまたがないように配置する本発明の構造により、誘電体層の段差部分、または第２の隔壁の斜面部分の位置、形状のずれがおこっても、輝度バラツキがなく、安定な放電が維持される発光効率の高い効果を有する。
【図面の簡単な説明】
【図１】本発明の実施の形態１のパネルの構造を表す図
【図２】図１のＡ１−Ａ１断面図
【図３】本発明の実施の形態１の構造における輝度バラツキ防止の説明図
【図４】本発明の実施の形態１のパネルの別の構造を表す図
【図５】本発明の実施の形態２のパネルの構造を表す断面図
【図６】電極の接続部の配置図
【図７】従来のパネルを表す斜視図
【図８】従来のパネルの構造図とＡ２−Ａ２断面図
【図９】従来のパネルの構造図とＡ３−Ａ３断面図
【図１０】従来の構造における輝度バラツキの発生の説明図
【符号の説明】
１　パネル
２　表面基板
３　背面基板
４　走査電極
４Ａ，５Ａ　金属母線
４Ｂ，５Ｂ　透明電極
５　維持電極
６，１０　誘電体層
６Ａ　誘電体盛上げ部
６Ｂ　凹部
７　保護膜
８　第１の隔壁
９　蛍光体層
１１　書き込み電極
１２　第２の隔壁
【図１】
2004047251.tif 000003
【図２】
2004047251.tif 000004
【図３】
2004047251.tif 000005
【図４】
2004047251.tif 000006
【図５】
2004047251.tif 000007
【図６】
2004047251.tif 000008
【図７】
2004047251.tif 000009
【図８】
2004047251.tif 000010
【図９】
2004047251.tif 000011
【図１０】
2004047251.tif 000012